(57)【要約】【課題】上下両面から光を照射でき、かつ光照射のムラによる歪が生じないようにして、利便性と硬化の確実性を向上させたジェル硬化用ランプを提供する。【解決手段】  被照射物６を載置する透明な載置板５の上下を挟んだ位置に発光体１，２が配置された基板３をその発光体の照射面が対向するように配置され、照射時に前記基板３が載置板５に対して、載置板５の面に平行な方向に往復運動するようにしたジェル硬化用ランプ。【選択図】図２
2018110729.tif 000002
【特許請求の範囲】
【請求項１】
被照射物を載置する載置板に対して、照射時に発光体が配置された基板が載置板の面に平行な方向に往復運動するようにしたことを特徴とするジェル硬化用ランプ。
【請求項２】
被照射物を載置する透明な載置板の上下を挟んだ位置に発光体が配置された基板をその発光体の照射面が対向するように配置されたことを特徴とするジェル硬化用ランプ。
【請求項３】
被照射物を載置する透明な載置板の上下を挟んだ位置に発光体が配置された基板をその発光体の照射面が対向するように配置され、照射時に前記基板が載置板の面に平行な方向に往復運動するようにしたことを特徴とするジェル硬化用ランプ。
【請求項４】
前記基板の運動は、載置板に照射域に対する載置板の面に平行な方向に加えて、載置板の面に垂直な方向への往復運動も加えたことを特徴とする請求項１又は３に記載のジェル硬化用ランプ。
【請求項５】
前記発光体の発光波長が、義爪材料のＵＶジェルを硬化させるための４０５ｎｍ付近と３７０ｎｍ付近の２種類を含むことを特徴とする請求項１乃至４のいずれか１項に記載のジェル硬化用ランプ。
【請求項６】
発光波長が４０５ｎｍ付近の発光体がＬＥＤ球で、発光波長が３７０ｎｍ付近の発光体が蛍光管タイプのＵＶ球としたことを特徴とする請求項５に記載のジェル硬化用ランプ。
【発明の詳細な説明】
【技術分野】
【０００１】
この発明は、義爪の材料として用いられる光硬化型のジェルを硬化させる紫外線および可視光線を照射するランプに関するもので、更に詳しくは、ハードジェル、ソフトジェル（ソークオフジェル）両方のジェルネイルを極めて短時間で硬化することのできるジェル硬化用ランプに関するものである。
【背景技術】
【０００２】
最近は義爪としてジェルネイルが流行となっているが、溶剤で溶けないハードジェルタイプのものは、蛍光管からなる３７０ｎｍあたりの波長をピークとするＵＶランプを使用して２〜３分で硬化させるものと、溶剤で溶かすことのできるソークオフジェル（ソフトジェル）タイプのものは４０５ｎｍあたりの波長をピークとする光を照射するものがあった。
【０００３】
そのため、３７０ｎｍあたりの波長をピークとするハードジェル用ランプと、４０５ｎｍあたりの波長をピークとするソフトジェル用ランプと、それぞれランプを別個に用意していたが、２つのランプが必要となることでコストが高くなり、また使用の際の使い分けが煩雑になるといった問題があった。
【０００４】
これに対して、従来、４０５ｎｍのＬＥＤ球と蛍光管タイプのＵＶ球を組み合わせて、使用時における使い分け等の煩雑さをなくしたものもあるが、ＬＥＤ球と蛍光管タイプのＵＶ球を単に組み合わせただけであり、コスト的に高価な上、それぞれ硬化速度の異なるランプとなっていた。
【０００５】
そこで出願人は、義爪材料のＵＶジェルを硬化させるジェルネイル硬化用ランプにおいて、４０５ｎｍ付近と３７０ｎｍ付近を発光する２種類以上のＬＥＤを設けたジェルネイル硬化用ＬＥＤランプを考案し、ハードジェルとソフトジェルの両方のジェルネイルを同じく短時間で硬化させることができ、ハードジェル用ランプとソフトジェル用ランプとを使い分けによる煩雑さをなくすと共に、低コストなジェルネイル硬化用ランプを提供した（例えば、特許文献１参照）。
【先行技術文献】
【特許文献】
【０００６】
【特許文献１】実用新案登録第３１７９７７７号公報
【発明の概要】
【発明が解決しようとする課題】
【０００７】
しかしながら、従来のジェルネイル硬化用ランプや特許文献１のジェルネイル硬化用ランプについては、上面あるいは側面から照射が行われているが、クラフトレジンなどは完全に硬化させるために、ジェル（レジン）を流し込んだ半透明のシリコンの裏側からも照射している。
【０００８】
また、ジェルネイルにおいても、自爪よりも長く伸ばす場合、指先に透明のネイルフォームを装着してその上にジェルを塗布して、必要に応じて裏面からも照射する必要があった。
【０００９】
更に、ＵＶ球あるいはＬＥＤ球で照射する場合、照射面には、光の強い部分と弱い部分ができてしまい、被照射物を置く位置により、光硬化性樹脂（クラフトレジンやジェルネイル）の収縮率等に違いがでて、硬化時に歪を生じることがあった。
【００１０】
そこでこの発明では、光照射のムラによる歪が生じないようにして、利便性と硬化の確実性を向上させると共に、ジェルネイル硬化の用途の他にもクラフト用レジンの硬化等にも使用可能となるジェル硬化用ランプを提供するものである。
【課題を解決するための手段】
【００１１】
上記の課題を解決するための請求項１の発明は、被照射物を載置する載置板に対して、照射時に発光体が配置された基板が載置板の面に平行な方向に往復運動するようにしたジェル硬化用ランプである。
【００１２】
請求項２の発明は、被照射物を載置する透明な載置板の上下を挟んだ位置に発光体が配置された基板をその発光体の照射面が対向するように配置されたジェル硬化用ランプである。
【００１３】
請求項３の発明は、被照射物を載置する透明な載置板の上下を挟んだ位置に発光体が配置された基板をその発光体の照射面が対向するように配置され、照射時に前記基板が載置板の面に平行な方向に往復運動するようにしたジェル硬化用ランプである。
【００１４】
請求項４の発明は、請求項１又は３に記載のジェル硬化用ランプにおいて、前記基板の運動は、載置板の面に平行な方向に加えて、載置板の面に垂直な方向への往復運動も加えた構成を採用する。
【００１５】
請求項５の発明は、請求項１乃至４のいずれか１項に記載のジェル硬化用ランプにおいて、前記発光体の発光波長が、義爪材料のＵＶジェルを硬化させるための４０５ｎｍ付近と３７０ｎｍ付近の２種類を含む構成を採用する。
【００１６】
請求項６の発明は、請求項５に記載のジェル硬化用ランプにおいて、発光波長が４０５ｎｍ付近の発光体がＬＥＤ球で、発光波長が３７０ｎｍ付近の発光体が蛍光管タイプのＵＶ球とした構成を採用する。
【発明の効果】
【００１７】
以上のように、請求項１のジェル硬化用ランプによれば、光硬化型樹脂は厚みを持たせた場合その硬化にムラが生じやすかったが、発光体が移動しながら照射されるので、被照射物に照射ムラが生じにくくなり、ジェルネイルにおいては、完全硬化と歪の少なさから、指先に及ぼす装着時の違和感が解消されたり、自爪からジェルネイルが脱落しにくくする効果も期待できるようになった。
【００１８】
また、請求項２のジェル硬化用ランプによれば、光硬化型樹脂は厚みを持たせた場合その硬化に対しては不利であったが、両面から照射することにより、従来よりも厚みのある光硬化性樹脂の使用も可能となり、ジェルネイルにおいては、完全硬化と歪の少なさから、指先に及ぼす装着時の違和感が解消されたり、自爪からジェルネイルが脱落しにくくする効果も期待できるようになった。
【００１９】
更に、請求項３のジェル硬化用ランプによれば、被照射得物に対して照射が両面から照射されるのに加えて、発光体が移動しながら照射されるので、従来よりも厚みのある光硬化性樹脂の使用も可能となり、被照射物に照射ムラが生じにくくなり、ジェルネイルにおいては、完全硬化と歪の少なさから、指先に及ぼす装着時の違和感が解消されたり、自爪からジェルネイルが脱落しにくくする効果がより発揮されることになる。
【００２０】
また、請求項４のジェル硬化用ランプによれば、発光体を有する基板の運動は、載置板に照射域に対する載置板の面に平行な方向に加えて、垂直方向への往復移動も加えたため、より照射ムラが生じにくくなった。
【００２１】
なお、以上の本発明のジェル硬化用ランプによれば、クラフト用レジンの場合、ジェルネイルに比較して厚みのあるものが多く、また平面や面積の比較的大きな場合があるので、均一照射により歪の少ない仕上がりとなる。
【００２２】
また、請求項５や請求項６の発明によると、ハードジェル、ソフトジェル（ソークオフジェル）両方のジェルネイルを、１つのランプによって硬化させることができ、両方のランプを用意することによる高コストや使い分ける煩雑さが解消すると共に、一方のＵＶジェルの特性に合わせた蛍光管タイプＵＶランプを利用して、他方の特性のＵＶジェルを硬化させる場合のような硬化時間がかかることもない。
【図面の簡単な説明】
【００２３】
【図１】この発明のジェル硬化用ランプに用いる発光体を載置した基板を示すもので、（Ａ）は正面図、（Ｂ）は平面図である。
【図２】この発明のジェル硬化用ランプの一例を示すもので、（Ａ）は正面図、（Ｂ）は平面図である。
【図３】この発明のジェル硬化用ランプの他の例を示すもので、（Ａ）及（Ｂ）は使用状態を示す正面図である。
【図４】この発明のジェル硬化用ランプの更に他の例を示すも正面図である。
【図５】この発明のジェル硬化用ランプの更に他の例を示すも正面図である。
【発明を実施するための形態】
【００２４】
本発明のジェル硬化用ランプの一例を、添付図面に基づいて説明する。
本発明のジェル硬化用ランプに用いる発光体はＬＥＤ球１やＵＶ球２の２種類の発光体からなり、図１の正面図（Ａ）、平面図（Ｂ）に示すように、基板３の片面にＬＥＤ球１とＵＶ球２がそれぞれ複数個配置してある。
【００２５】
ＬＥＤ球１は、発光波長が４０５ｎｍ付近であり、ＵＶ球２は蛍光管タイプで発光波長は３７０ｎｍ付近となっており、また、基板３はこれらＬＥＤ球１及びＵＶ球２を適宜配置してあると共に、発光のための電源回路や、発光スイッチ等も載置してある（図示省略）。
【００２６】
図２は、この発明のジェル硬化用ランプの一例を示すもので、正面図（Ａ）、平面図（Ｂ）に基づいて説明する。
【００２７】
このジェル硬化用ランプの筐体は、矩形状で一方側面から内側に向けて、爪にジェルを塗布した指先が入る程度の凹部が形成されこの凹部が照射域４となっている。なお、図ではこの照射域４は図示のように正面から後ろが見渡せる凹部としているが、一面に設けられた開口部を設けて、その中に照射域４を設けるようにしてもよい。
【００２８】
照射域４の下面には透明ガラスや透明樹脂からなる透明な載置板５が設けられており、この上にジェルネイルや指先やジェルネイルを施した爪、又はクラフト用レジンを置くようになっている。
【００２９】
透明な載置板５の下側の筐体内部には、図１で示した基板３が、発光体となるＬＥＤ球１、ＵＶ球２を上面に向けて配置されており、これらの発光体の照射光は載置板５を通過して上に届くようになっている。
【００３０】
また、この基板３は、図示しないモータ等の適宜動力手段にて載置板５の面に平行な方向（図示左右方向）に往復振動可能となっている。
【００３１】
更に、照射域４の上側の、載置板５への対向位置の下面にも、図１で示した基板３が、発光体となるＬＥＤ球１、ＵＶ球２を下面に向けて配置されており、図示しない適宜動力手段にて載置板５の面に平行な方向（図示左右方向）に往復運動可能となっている。
【００３２】
これら載置板５を挟んだ上下の基板３の往復運動（往復振動）の振幅幅や振動周期については限定されず、要するに、照射域４に載置されたジェルをムラ無く均質に照射できる目的の範囲内で適宜決めれば良い。
【００３３】
なお、基板３の運動は、図示左右方向のみとしたが、これに加えて図示前後方向にも往復運動させて二次元的に運動させるようにすることもできる。
【００３４】
更に、基板３に載置板５に対して接近・離反方向（図示上下方向）への往復運動も加えて三次元的な動きをさせて、ムラを無くすようにすることもできる。
【００３５】
使用の際には、爪にジェルを塗布した指先等の被照射物６を載置板５上において、ＬＥＤ球１及びＵＶ球２を発光させながら、上下の基板３を往復移動させることで、約１０秒から３０秒の短時間でジェルを硬化させることができる。
【００３６】
図３は、この発明のジェル硬化用ランプの他の例を示すもので、使用状態を示す正面図（Ａ）、被照射物の出し入れの状態の正面図（Ｂ）に基づいて説明する。
【００３７】
このジェル硬化用ランプの筐体は、上部ケース１１と下部ケース１２とを上下に合わせて、上部ケース１１下面の一辺と下部ケース１２の上面の一辺（図示左側）を蝶番１３にて接続し、上部ケース１１を下部ケース１２に対して上側に開けるようになっており、所定の角度で開いたまま保持される（図３（Ｂ）参照）ような構造となっている。
【００３８】
上部ケース１１は、下面開放した矩形状で、上面の内側には、図１で示した基板３が、発光体となるＬＥＤ球１、ＵＶ球２を下面に向けて配置されており、図示しない適宜動力手段にて載置板５の面に平行な方向（図示左右方向）に往復運動可能となっている。
【００３９】
下部ケース１２は、矩形状で上面の一部又は全部には、透明な載置板５が組み込まれており、下部ケース１２の内部がらの照射光が通過するようになっている。
【００４０】
下部ケース１２の内側内部には図１で示した基板３が、発光体となるＬＥＤ球１、ＵＶ球２を上面に向けて配置されており、図示しない適宜動力手段にて載置板５の面に平行な方向（図示左右方向）に往復運動可能となっている。
【００４１】
なお、基板３に設けられたＬＥＤ球１、ＵＶ球２の詳細や、基板３の往復運動の振幅や運動周期やその動きについては、図２で示した実施形態と同じであり、詳細な説明を省略する。
【００４２】
この例のジェル硬化用ランプの第１使用例としては、まず、図３（Ｂ）で示すように上部ケース１１を開き、透明な載置板５上にクラフト用レジン等の被照射物６を載置した後、上部ケース１１を閉じ、図３（Ａ）の状態にて、ＬＥＤ球１及びＵＶ球２を発光させながら、上下の基板３を往復移動させることで、約１０秒から３０秒の短時間でジェルを硬化させることができる。
【００４３】
また、第２使用例としては、図３（Ｂ）で示すように上部ケース１１を開いて固定した状態で、上部ケース１１と下部ケース１２の間の透明な載置板５上に、爪にジェルを塗布した指先やクラフト用レジン等の被照射物６を置いて、ＬＥＤ球１及びＵＶ球２を発光させながら、上下の基板３を往復移動させることで、約１０秒から３０秒の短時間でジェルを硬化させることができる。
【００４４】
図４は、この発明のジェル硬化用ランプの更に他の例を示すも正面図であり、図２で示した実施形態のジェル硬化用ランプのうち、透明な載置板５と下側の基板３を取り去り、上側の基板３のみで行うようにしたものである。
【００４５】
この実施形態の場合であっても、上部の基板３が往復運動することにより、被照射物６への照射ムラを極力減らすことができる。
【００４６】
図５は、この発明のジェル硬化用ランプの更に他の例を示すも正面図であり、図２で示した実施形態のジェル硬化用ランプから、基板３の往復運動機能を無くし、固定したものである。
【００４７】
この実施形態の場合であっても、上下両面から光を照射することにより、被照射物６へは十分な光が届き、厚みのある樹脂でもムラ無く硬化させることができる。
【００４８】
以上、この発明実施形態を説明したが、この発明は図示のものに限定されるものではなく、この発明の目的の範囲内で適宜設計変更して実施できることは言うまでも無い。
【符号の説明】
【００４９】
１  ＬＥＤ球
２  ＵＶ球
３  基板
４  照射域
５  透明な載置板
６  被照射物
１１  上部ケース
１２  下部ケース
１３  蝶番
【図１】
2018110729.tif 000003
【図２】
2018110729.tif 000004
【図３】
2018110729.tif 000005
【図４】
2018110729.tif 000006
【図５】
2018110729.tif 000007